(57)【要約】【課題】噴霧ノズルと熱交換器との間隔が小さくても熱交換器の広い範囲を水を噴霧することにより冷却可能な空気調和装置の室外機を提供することを課題とする。【解決手段】本発明は、空気調和装置の室外機１０であって、熱交換器１２と、熱交換器１２を冷却するための水を噴霧する噴霧装置２０、２０Ａ、２０Ｂと、噴霧装置２０から噴霧される水を帯電させる帯電部３０、３０Ａ、３０Ｂと、を備え、噴霧された液滴同士を静電気力によって反発させて拡散させることを特徴とする。【選択図】図１
2013076538.tif 000002
【特許請求の範囲】
【請求項１】
空気調和装置の室外機（１０）であって、
熱交換器（１２）と、
前記熱交換器（１２）を冷却するための水を噴霧する噴霧装置（２０、２０Ａ、２０Ｂ）と、
前記噴霧装置（２０、２０Ａ、２０Ｂ）から噴霧される水を帯電させる帯電部（３０、３０Ａ、３０Ｂ）と、を備え、
噴霧された液滴同士を静電気力によって反発させて拡散させる空気調和装置の室外機。
【請求項２】
前記噴霧装置（２０）は、前記水を案内する流路を形成する流路部（２４）と、前記流路部（２４）に接続され、当該流路部（２４）から供給された水を噴霧する噴霧ノズル（２２）と、を備え、
前記帯電部（３０）は、前記噴霧ノズル（２２）と、前記流路部（２４）における前記噴霧ノズル（２２）から上流側に所定の距離をおいた部位である流路側印加部（２４６）と、の間に所定の電圧を印加し、
前記流路部（２４）は、前記噴霧ノズル（２２）と前記流路側印加部（２４６）とを絶縁する絶縁部（２４４）を当該噴霧ノズル（２２）と前記流路側印加部（２４６）との間に有する請求項１に記載の空気調和装置の室外機。
【請求項３】
前記帯電部（３０）は、前記所定の電圧を印加するための電源（３２）と、前記電源（３２）が印加する電圧を調整する制御部（３６）と、を有する請求項２に記載の空気調和装置の室外機。
【請求項４】
前記噴霧装置（２０Ａ）は、前記水を噴霧する噴霧ノズル（２２）を有し、
前記帯電部（３０Ａ）は、前記噴霧ノズル（２２）から所定の間隔をおいて配置され且つ前記噴霧ノズル（２２）を通過する水に静電誘導を生じさせるための誘導電極（５０）と、前記噴霧ノズル（２２）と前記誘導電極（５０）との間に所定の電圧を印加する電源（３２Ａ）と、を有する請求項１に記載の空気調和装置の室外機。
【請求項５】
前記噴霧装置（２０Ｂ）は、前記水を噴霧する噴霧ノズル（２２）を有し、
前記帯電部（３０Ｂ）は、前記噴霧ノズル（２２）から噴霧された水が通過する領域を挟むように配置される一対の放電電極（５２、５４）と、これら一対の放電電極（５２、５４）間に所定の電圧を印加する電源（３２Ａ）と、を有する請求項１に記載の空気調和装置の室外機。
【請求項６】
前記帯電部（３０Ａ、３０Ｂ）は、前記電源（３２Ａ）が印加する電圧を調整する制御部（３６）を有する請求項４又は５に記載の空気調和装置の室外機。
【請求項７】
プラスとマイナスのうちの前記噴霧装置（２０、２０Ａ、２０Ｂ）により噴霧された水と同じ極の電荷を前記熱交換器（１２）に帯電させる熱交換器用帯電部（５８）をさらに備える請求項１乃至６のいずれか１項に記載の空気調和装置の室外機。
【請求項８】
前記帯電部（３０、３０Ａ）は、前記噴霧される水をプラスに帯電させる請求項１乃至７のいずれか１項に記載の空気調和装置の室外機。
【請求項９】
前記噴霧ノズル（２２）は、前記水を外部に噴出させるオリフィス部（２２１）と、前記流路部（２４０、２４０Ａ）から供給された水に気体を供給して前記水の中に多数の気泡を形成する気泡形成部（２２０Ｂ）と、前記多数の気泡を含んだ状態の水を前記オリフィス部（２２１）まで案内する案内部（２２０Ａ）と、を有する請求項１乃至８のいずれか１項に記載の空気調和装置の室外機。
【発明の詳細な説明】
【技術分野】
【０００１】
本発明は、冷媒が循環して蒸気圧縮式の冷凍サイクルを行う空気調和装置の室外機に関するものである。
【背景技術】
【０００２】
従来、熱交換器に水を噴霧することにより冷却効率を向上させた、空気調和装置の室外機として、特許文献１に記載のものが知られている。
【０００３】
具体的に、室外機は、図８に示されるように、熱交換器１０２と、熱交換器１０２に対して水を噴霧する噴霧ノズル１０４と、を備える。この室外機１００では、噴霧ノズル１０４が水を噴霧して熱交換器１０２を濡らすことにより、この水の蒸発潜熱を利用して熱交換器１０２における冷媒の冷却効率を向上させている。
【先行技術文献】
【特許文献】
【０００４】
【特許文献１】特許第３７０７７３７号公報
【発明の概要】
【発明が解決しようとする課題】
【０００５】
しかしながら、室外機１００のコンパクト化を図るためや、横風（噴霧ノズル１０４から熱交換器１０２へ向かう方向と直交する方向の風）によって噴霧した水が熱交換器１０２以外に散逸するのを防ぐために、噴霧ノズル１０４と熱交換器１０２との間隔を小さくすると、熱交換器１０２において水の散布される範囲が局所的となる（小さくなる）。
【０００６】
このように水の散布される範囲が小さくなると、熱交換器において噴霧された水により冷却効率の向上する範囲が小さくなる。
【０００７】
そこで、噴霧ノズルと熱交換器との間隔が小さくても熱交換器の広い範囲を水を噴霧することにより冷却可能な空気調和装置の室外機を提供することを課題とする。
【課題を解決するための手段】
【０００８】
そこで、上記課題を解消すべく、本発明は、空気調和装置の室外機（１０）であって、熱交換器（１２）と、前記熱交換器（１２）を冷却するための水を噴霧する噴霧装置（２０、２０Ａ、２０Ｂ）と、前記噴霧装置（２０、２０Ａ、２０Ｂ）から噴霧される水を帯電させる帯電部（３０、３０Ａ、３０Ｂ）と、を備え、噴霧された液滴同士を静電気力によって反発させて拡散させる。
【０００９】
本発明によれば、噴霧されて霧状となった水（各液滴）が帯電することにより噴霧された液滴同士が静電気力（クーロン力）によってそれぞれ反発するため、各液滴が広い範囲に拡散する。これにより、帯電による拡散を利用せずに噴霧された水が熱交換器（１２）に向かう場合に比べて各液滴の空気中での浮遊距離（浮遊時間）が延びて熱交換器（１２）に到達する前に各液滴が蒸発する。その結果、噴霧装置（２０、２０Ａ、２０Ｂ）と熱交換器（１２）との間隔が小さくても、噴霧された水によって熱交換器（１２）が濡れるのを防ぎつつ、前記噴霧された水の蒸発潜熱により熱交換器（１２）の周囲の広い範囲の空気を冷やして熱交換器（１２）における冷却効率を向上させることが可能となる。
【００１０】
本発明に係る空気調和装置の室外機（１０）においては、前記噴霧装置（２０）は、前記水を案内する流路を形成する流路部（２４０）と、前記流路部（２４０）に接続され、当該流路部（２４０）から供給された水を噴霧する噴霧ノズル（２２）と、を備え、前記帯電部（３０）は、前記噴霧ノズル（２２）と、前記流路部（２４０）における前記噴霧ノズル（２２）から上流側に所定の距離をおいた部位である流路側印加部（２４６）と、の間に所定の電圧を印加し、前記流路部（２４０）は、前記噴霧ノズル（２２）と前記流路側印加部（２４６）とを絶縁する絶縁部（２４４）を当該噴霧ノズル（２２）と前記流路側印加部（２４６）との間に有してもよい。
【００１１】
かかる構成によれば、絶縁部（２４４）によって噴霧ノズル（２２）と流路側印加部（２４６）とが絶縁されるため、帯電部（３０）によって電圧が印加されることにより流路を流れる水に通電され、当該水が帯電する。この帯電した水が噴霧ノズル（２２）から噴霧されることにより、各液滴が帯電した状態となる。
【００１２】
この場合、前記帯電部（３０）は、前記所定の電圧を印加するための電源（３２）と、前記電源（３２）が印加する電圧を調整する制御部（３６）と、を有することが好ましい。
【００１３】
かかる構成によれば、制御部（３６）が噴霧ノズル（２２）と流路側印加部（２４６）との間に印加される電圧を調整することによって噴霧された各液滴の電荷量を制御し、これにより、噴霧した水の拡散する範囲を調整することが可能となる。
【００１４】
尚、前記噴霧装置（２０Ａ）は、前記水を噴霧する噴霧ノズル（２２）を有し、前記帯電部（３０Ａ）は、前記噴霧ノズル（２２）から所定の間隔をおいて配置され且つ前記噴霧ノズル（２２）を通過する水に静電誘導を生じさせるための誘導電極（５０）と、前記噴霧ノズル（２２）と前記誘導電極（５０）との間に所定の電圧を印加する電源（３２Ａ）と、を有してもよい。
【００１５】
かかる構成によれば、噴霧ノズル（２２）と誘導電極（５０）との間に所定の電圧が印加されることによって噴霧ノズル（２２）を通過する水に静電誘導が生じ、この状態の水が噴霧ノズル（２２）から噴霧されることにより、各液滴が帯電した状態となる。
【００１６】
また、前記噴霧装置（２０Ｂ）は、前記水を噴霧する噴霧ノズル（２２）を有し、前記帯電部（３０Ｂ）は、前記噴霧ノズル（２２）から噴霧された水が通過する領域を挟むように配置される一対の放電電極（５２、５４）と、これら一対の放電電極（５２、５４）間に所定の電圧を印加する電源（３２Ａ）と、を有してもよい。
【００１７】
かかる構成によれば、一対の放電電極（５２、５４）間に所定の電圧が印加されることによって放電電極（５２、５４）間に放電が生じ、この放電によって当該放電電極（５２、５４）間を通過する各液滴が帯電した状態となる。
【００１８】
これらの場合、前記帯電部（３０Ａ、３０Ｂ）は、前記電源（３２Ａ）が印加する電圧を調整する制御部（３６）を有することが好ましい。
【００１９】
かかる構成によれば、電源（３２Ａ）が印加する電圧を制御部（３６）が調整することによって噴霧された各液滴の電荷量を制御し、これにより、噴霧した水の拡散する範囲を調整することが可能となる。
【００２０】
プラスとマイナスのうちの前記噴霧装置（２０、２０Ａ、２０Ｂ）により噴霧された水と同じ極の電荷を前記熱交換器（１２）に帯電させる熱交換器用帯電部（５８）をさらに備えてもよい。
【００２１】
かかる構成によれば、噴霧された各液滴が熱交換器（１２）に接近し難くなるため、熱交換器（１２）が前記液滴によって濡れるのをより確実に防ぎつつ各液滴の蒸発潜熱により熱交換器（１２）の周囲の空気を冷やして熱交換器（１２）における冷却効率を向上させることができる。
【００２２】
前記帯電部（３０、３０Ａ、３０Ｂ）は、前記噴霧される水をプラスに帯電させることが好ましい。
【００２３】
かかる構成によれば、噴霧ノズル（２２）がマイナスに帯電することによって生じる噴霧ノズル（２２）からの放電を防止することができる。
【００２４】
前記噴霧ノズル（２２）は、前記水を外部に噴出させるオリフィス部（２２１）と、前記流路部（２４０）から供給された水に気体を供給して前記水の中に多数の気泡を形成する気泡形成部（２２０Ｂ）と、前記多数の気泡を含んだ状態の水を前記オリフィス部（２２１）まで案内する案内部（２２０Ａ）と、を有することが好ましい。
【００２５】
かかる構成によれば、水と空気（気体）とを用いる所謂２流体ノズルに比べて、より少ない気体によって水をより微細な霧状に噴霧することが可能となる。
【００２６】
具体的には、気泡形成部（２２０Ｂ）において水の中に多数の気泡が形成され、この状態の水が案内部（２２０Ａ）によってオリフィス部（２２１）まで案内されることにより多数の気泡と水とが混ざり、これら各気泡がオリフィス部（２２１）から外部に噴出されるときの圧力差によってそれぞれはじけて噴霧ノズル（２２）（オリフィス部（２２１））から噴出される水が微細な霧状となる。即ち、水中に多数の気泡を形成してこの気泡を圧力差によってはじけさせて水を霧状にすることにより、２流体ノズルのように高圧の空気の流れによるせん断力を利用して水を霧状にする場合に比べ、使用空気量を少なくすることができると共に液滴の大きさも小さくすることができる。
【００２７】
その結果、噴霧ノズル（２２）から噴霧された水がより拡散されると共に、より蒸発し易くなる。
【発明の効果】
【００２８】
以上より、本発明によれば、噴霧ノズルと熱交換器との間隔が小さくても熱交換器の広い範囲を水を噴霧することにより冷却可能な空気調和装置の室外機を提供することができる。
【図面の簡単な説明】
【００２９】
【図１】本実施形態に係る室外機の概略構成図である。
【図２】前記室外機の斜視図である。
【図３】前記室外機の噴霧装置における噴霧ノズルの拡大断面図である。
【図４】他実施形態に係る噴霧ノズルを説明するための図である。
【図５】熱交換器に対する噴霧ノズルの配置例を説明するための図である。
【図６】図６（Ａ）は、他実施形態に係る噴霧装置及び帯電機構の概略構成図であり、図６（Ｂ）は、噴霧ノズル及び誘導電極を説明するための拡大斜視図である。
【図７】他実施形態に係る噴霧装置及び帯電機構の概略構成図である。
【図８】熱交換器に水を噴霧する方式の従来の室外機を説明するための図である。
【発明を実施するための形態】
【００３０】
以下、本発明の一実施形態について、添付図面を参照しつつ説明する。
【００３１】
本実施形態に係る室外機は、例えば、空気調和装置に用いられる。この空気調和装置は、図１及び図２に示される室外機と、図略の室内機と、これらを接続する図略の冷媒配管とを備えている。
【００３２】
室外機１０は、熱交換器１２と、送風機１４と、圧縮機１６と、温度センサ１８と、噴霧装置２０と、帯電機構（帯電部）３０と、室外機制御部４０と、を備える。尚、図１では、説明の便宜のため、噴霧装置２０の一部と帯電機構３０の一部とが省略され、また、図２では、噴霧装置２０の噴霧ノズル２２に接続される水用流路部２４０やエア用流路部２６０等が省略されている。
【００３３】
熱交換器１２は、内部を冷媒が流れる伝熱管（図示省略）と、前記伝熱管が貫通する多数のプレートフィン（図示省略）と、を備える。この熱交換器１２では、伝熱管の管壁とプレートフィンとを介して伝熱管内を流れる冷媒とプレートフィン同士の間を流れる外気（空気）との間で熱交換が行われる。本実施形態の熱交換器は、例えば、クロスフィンコイル式の熱交換器であるが、これに限定されない。
【００３４】
この熱交換器１２は、ケーシング１１の底板１１ａから上方に向かって立設され、例えば、ケーシング１１を構成する側面板１１ｂ及び背面板１１ｃに沿うように平面視においてＬ字状又はＵ字状に配置されている。尚、ケーシング１１の側面板１１ｂ及び背面板１１ｃにおける熱交換器１２と対向する領域には、外気がケーシング１１内部に流入可能に開口（図示省略）が設けられている。
【００３５】
送風機１４は、空気の流れを形成して熱交換器１２に空気（外気）を供給（送風）するものであり、羽根車１４ａと、この羽根車１４ａを回転させるモータ（図示省略）とを備える。本実施形態の送風機１４は、ケーシング１１の天板１１ｄに配置され、側面板１１ｂ及び背面板１１ｃの熱交換器１２と対向する領域に設けられた前記開口からケーシング１１内に外気を引き込み、天板１１ｄ側から排出する（図１の矢印参照）。尚、天板１１ｄにおける送風機１４（羽根車１４ａ）が配置された位置には、ケーシング１１の内部と外部とを連通する開口（図示省略）が設けられている。
【００３６】
送風機としては、例えば、遠心送風機、軸流送風機、斜流送風機等が用いられるが、これらに限定されない。
【００３７】
圧縮機１６は、当該圧縮機１６の駆動によって室外機１０を備えた空気調和装置において冷媒を循環させる。
【００３８】
温度センサ１８は、室外機制御部４０や帯電機構３０（詳しくは帯電用制御部３６）等に接続され、ケーシング１１内に吸気される外気の温度を計測して計測結果に応じた外気温信号を出力する。
【００３９】
噴霧装置２０は、空気調和装置の冷房運転時において熱交換器１２を冷却するための水を噴霧することにより、熱交換器１２に向かう（供給される）外気を冷却する。この熱交換器１２に向かう外気の流れは、上記の送風機１４の駆動によって形成されている。
【００４０】
このように、噴霧装置２０は、水を霧状に噴霧して熱交換器１２を補助的（間接的）に冷却することによって、空気調和装置の冷房能力の向上を図ることができる。
【００４１】
具体的に、噴霧装置２０は、複数の噴霧ノズル２２と、水供給機構２４と、エア供給機構２６と、を備える。本実施形態の室外機１０では、各噴霧ノズル２２に対して水供給機構２４と、エア供給機構２６と、帯電機構３０とがそれぞれ接続されている。図１においては、一つの噴霧ノズル２２と、この噴霧ノズル２２に接続された水供給機構２４、エア供給機構２６、及び帯電機構３０とを示しており、他の噴霧ノズル２２及びこれに接続される水供給機構２４、エア供給機構２６、及び帯電機構３０の図示を省略している。これら他の噴霧ノズル２２及びこれに接続される水供給機構２４、エア供給機構２６、及び帯電機構３０の構成は、図１に示されるものと同様であるため説明を省略する。
【００４２】
各噴霧ノズル２２は、熱交換器１２を冷却するための水を噴霧するノズルであり、ケーシング１１に設けられた誘導板１１０によって支持される。尚、図１における誘導板１１０は、噴霧装置２０の説明の便宜のために模式的に記載されているため、ケーシング１１に対する寸法の比率が実際のものと異なっている。
【００４３】
誘導板１１０は、ケーシング１１の側面板１１ｂ及び背面板１１ｃの外面側において、前記開口が設けられた領域（熱交換器１２と対向する領域）を囲うように設けられる（図２参照）。この誘導板１１０は、噴霧ノズル２２から噴霧された水（液滴）が熱交換器１２以外に散逸するのを防いで前記水を噴霧された空気（外気）が熱交換器１２に到達するように空気の流れを誘導するためのものである。この誘導板１１０において側面板１１ｂ及び背面板１１ｃとは反対側の端部には、誘導板１１０に囲まれた領域を覆うように金網１１１が配置されている。そして、誘導板１１０の対向する部位間に架橋された固定部材（本実施形態では、水平方向に架橋された部材）１１２に各噴霧ノズル２２が固定されている。尚、本実施形態の噴霧ノズル２２は、誘導板１１０によって支持されているが、これに限定されず、別途設けられた他の支持部材や、側面板１１ｂ及び背面板１１ｃによって支持されてもよい。また、噴霧ノズル２２は、少なくとも先端が誘導板１１０によって囲まれる領域、且つ、側面板１１ｂ（又は背面板１１ｃ）の開口と金網との間に位置するように配置されている。
【００４４】
複数の噴霧ノズル２２は、噴霧装置２０による冷却効果が熱交換器１２のほぼ全体に及ぼされるように、互いに間隔をあけて配置される。具体的には、各噴霧ノズル２２から噴霧される水（液滴）が拡散する範囲、即ち、各噴霧ノズル２２により熱交換器１２に向かう空気が冷却される範囲に基づいて、各噴霧ノズル２２は、互いに上下及び水平方向に例えば数十センチ程度の間隔をおいて点在するように配置される。
【００４５】
本実施形態の噴霧ノズル２２は、熱交換器１２に向けて水を噴霧する姿勢となるように誘導板１１０の固定部材１１２によって支持され、背面板１１ｃ側に噴霧ノズル２２が９個（３×３個）設けられ、側面板１１ｂ側に噴霧ノズル２２が垂直方向に３個並ぶように設けられているが（図２参照）、この配置に限定されない。例えば、噴霧ノズル２２が、背面板１１ｃ側に４個（２×２個）設けられ、側面板１１ｂ側に上下に２個設けられてもよい。即ち、噴霧ノズル２２から噴霧された水によって熱交換器１２の全域が冷却されるように、噴霧ノズル２２の数と配置位置とが設定されている。
【００４６】
噴霧ノズル２２は、金属等の導電性部材によって形成され、図３にも示されるように、胴部２２０と、この胴部２２０の先端（水の流れ方向における下流側）に設けられるオリフィス部２２１と、を有する。また、胴部２２０は、水供給機構２４から供給された水に気体（本実施形態では空気）を供給し、この水の中に多数の気泡を形成する気泡形成部２２０Ｂと、多数の気泡を含んだ状態の水をオリフィス部２２１まで案内する案内部２２０Ａと、を有する。このように構成されることによって、気泡形成部２２０Ｂにおいて水の中に多数の気泡が形成され、この状態の水が案内部２２０Ａによってオリフィス部２２１まで案内されることにより多数の気泡と水とが十分に混ざり、これら各気泡がオリフィス部２２１から外部に噴出されるときの圧力差によってそれぞれはじけ、噴霧ノズル２２（オリフィス部２２１）から噴出される水が微細な霧状となる。即ち、当該噴霧ノズル２２によれば、水中に多数の気泡を形成してこの気泡を圧力差によってはじけさせて水を霧状にすることにより、従来のいわゆる２流体ノズルのように高圧の空気の流れによるせん断力を利用して水を霧状にする場合に比べ、使用空気量を少なくすることができると共に液滴の大きさも小さくすることができる。詳しくは、以下に説明する。
【００４７】
胴部２２０は、水供給機構２４から供給される水をオリフィス部２２１まで案内すると共に、エア供給機構２６から供給される空気によって水の中に多数の気泡を形成する。この胴部２２０は、水案内配管２２２と、空気案内配管２２４と、を有する。
【００４８】
水案内配管２２２は、水供給機構２４から供給された水をオリフィス部２２１まで案内する水流路を形成する管である。この水案内配管２２２は、所定の内径を有する管であり、その基端（水の流れ方向における上流端）２２２ｂが後述の水用流路部２４０の下流端に接続されると共にその先端（水の流れ方向における下流端）２２２ａがオリフィス部２２１に接続されている。水案内配管２２２は、先端部に設けられた混和領域２２２Ａと、その上流側に設けられた気泡形成領域２２２Ｂとを有する。
【００４９】
気泡形成領域２２２Ｂは、エア供給機構２６から供給された空気を水案内配管２２２内を流れる水の中に導入（供給）して多数の気泡を水の中に形成する領域である。この気泡形成領域２２２Ｂの管壁には、水案内配管２２２の内側と外側とを連通する複数の孔２２３が形成され、この孔２２３を通じて水案内配管２２２内を流れる水の中に空気が供給される。本実施形態では、例えば、水案内配管２２２の周方向において等間隔となるように形成された複数の孔２２３、２２３、…を一組とし、この組みが水案内配管２２２の軸方向に等間隔となるように複数個所（図３に示す例では３箇所）に配置されている。
【００５０】
混和領域２２２Ａは、多数の気泡が内部に形成された状態の水を所定の距離流すことにより、水の中に形成された多数の気泡を水と十分に混ぜあわせるための領域である。即ち、気泡形成領域２２２Ｂでは、管壁に形成された孔２２３を通じて水の中に空気が供給されるために管壁近傍に気泡が形成され易いが、この状態の水が混和領域２２２Ａにおいて所定の距離流れることによって気泡と水とが十分に混ざる。これにより、オリフィス部２２１から噴出される霧状の水（液滴）の大きさのむらを抑えることができる。
【００５１】
この混和領域２２２Ａは、気泡を含む水を流したときに、気泡と水とが十分に混ざる長さ（水案内配管２２２の軸方向の長さ）寸法に設定されている。
【００５２】
空気案内配管２２４は、水案内配管２２２の外側に配置される管である。具体的に、空気案内配管２２４は、水案内配管２２２の外径よりも大きな内径を有し、水案内配管２２２の軸と当該空気案内配管２２４の軸とが一致するように配置される。この空気案内配管２２４は、水案内配管２２２よりも軸方向の長さ寸法が小さく、空気案内配管２２４の先端２２４ａが水案内配管２２２の先端２２２ａ同様にオリフィス部２２１（オリフィス部２２１の裏面２２１ｂ）に接続されているため、水案内配管２２２の基端２２２ｂが空気案内配管２２４の基端２２４ｂから軸方向に突出している。空気案内配管２２４の基端部２２４ｂでは、その内周面と水案内配管２２２の外周面との間が閉塞部材２２５によって塞がれている。
【００５３】
胴部２２０において、閉塞部材２２５、水案内配管２２２の外周面、空気案内配管２２４の内周面、及びオリフィス部２２１によって囲まれた空間が、エア供給機構２６から供給された空気を水案内配管２２２の気泡形成領域２２２Ｂに設けられた孔２２３まで案内する空気流路となる。
【００５４】
また、空気案内配管２２４には、エア供給機構２６（詳しくはエア用流路部２６０）が接続される接続部２２６が設けられ、この接続部２２６に接続されたエア供給機構２６から供給された空気が当該接続部２２６を介して空気流路に導入される。
【００５５】
以上のように構成される本実施形態の胴部２２０では、軸方向において、混和領域２２２Ａに対応する部位が案内部２２０Ａであり、気泡形成領域２２２Ｂに対応する部位が気泡形成部２２０Ｂである。尚、胴部２２０における案内部２２０Ａと気泡形成部２２０Ｂとは、上記の部位に限定されない。例えば、図４に示されるように、空気案内配管２２４Ａの先端が水案内配管２２２Ｃの内側に位置するよう、水案内配管２２２Ｃの管壁を貫通するように空気案内配管２２４Ａが配置され、当該空気案内配管２２４Ａの先端に多孔質体やメッシュ等の多数の孔が設けられた部材が取り付けられた構成の場合、水案内配管２２２Ｃが案内部２２０Ａであり、空気案内配管２２４Ａの内端部が気泡形成部２２０Ｂとなる。
【００５６】
図３に戻り、オリフィス部２２１は、胴部２２０によって案内された気泡を含む水を外部（噴霧ノズル２２の外部）に噴出させる。本実施形態のオリフィス部２２１は、円板形状を有する。このオリフィス部２２１は、径方向外側の領域である閉塞部２２７と、この閉塞部２２７の径方向内側の領域である噴霧部２２８とを有する。具体的に、オリフィス部２２１において、水案内配管２２２の内周面よりも径方向外側の領域が閉塞部２２７であり、この閉塞部２２７よりも径方向内側の領域が噴霧部２２８である。
【００５７】
閉塞部２２７は、水案内配管２２２と空気案内配管２２４との先端２２２ａ、２２４ａ位置において、水案内配管２２２の外周面と空気案内配管２２４の内周面との間に形成される開口を塞ぐ（閉塞する）。
【００５８】
噴霧部２２８は、軸方向に水流路と噴霧ノズル２２の外部とを連通する噴霧孔２２９を有する。この噴霧孔２２９は、オリフィス部２２１の裏面２２１ｂから先端面（水の流れ方向の下流側の面）２２１ａに向かって径が漸減するテーパ面２２９Ａと、テーパ面２２９Ａの先端から延びる円筒面２２９Ｂと、によって規定される。
【００５９】
尚、オリフィス部２２１は、円板形状に限定されない。即ち、気泡が混入された状態の水を噴霧孔を通じて外部に噴霧するときの圧力差によって水に混入された気泡がはじける形状であれば、円板形状以外でもよい。例えば、オリフィス部２２１Ａは、図４に示されるような形状であってもよい。
【００６０】
図１に戻り、水供給機構２４は、例えば水道やタンク等の水供給源（図示省略）から噴霧ノズル２２まで水を案内する流路を形成する水用流路部（流路部）２４０と、流路内を流れる水を噴霧ノズル２２に向けて加圧する水用ポンプ２４２と、を有する。尚、水供給源から噴霧装置２０に十分な圧力で水が供給される場合には、水供給機構２４においてポンプ２４２が省略されてもよい。
【００６１】
水用流路部２４０は、絶縁流路部（絶縁部）２４４と、導電性流路部（流路側印加部）２４６と、を含む。絶縁流路部２４４は、水用流路部２４０における下流端部（噴霧ノズル２２側の端部）に配置され、その上流側に導電性流路部２４６が配置されている。即ち、導電性流路部２４６は、噴霧ノズル２２から上流側に所定の距離（絶縁流路部２４４の長さ寸法に相当する距離）をおいて配置されている。尚、絶縁流路部２４４の配置位置は、水用流路部２４０の下流端部に限定されず、導電性流路部２４６の下流側に配置されていればよい。
【００６２】
絶縁流路部２４４は、絶縁部材によって形成された管であり、水用流路部２４０においてその下流端に接続される噴霧ノズル２２と、導電性流路部２４６と、の間を電気的に絶縁する。本実施形態では、絶縁流路部２４４として絶縁性を有する樹脂製の管（樹脂配管）が用いられ、前記噴霧ノズル２２と導電性流路部２４６との間に高電圧（例えば、５０００Ｖ〜１００００Ｖ）が印加されてもこれら噴霧ノズル２２と導電性流路部２４６との間を電気的に絶縁可能な長さ寸法を有する。
【００６３】
導電性流路部２４６は、導電性部材によって形成された管であり、本実施形態では、金属製の管が用いられる。本実施形態の水用流路部２４０では、前記水供給源との接続部位（水用流路部２４０の上流端）から絶縁流路部２４４の上流端までが導電性流路部２４６であるが、これに限定されず、水用流路部２４０において、少なくとも絶縁流路部２４４の上流側において電圧を印加できる長さ寸法の導電性流路部２４６が配置されていればよい。例えば、水用流路部２４０は、下流端側に絶縁流路部２４４が配置され、この絶縁流路部２４４の上流側に導電性流路部２４６が配置され、この導電性流路部２４６の上流側に、再度、絶縁流路部２４４が配置されてもよい。
【００６４】
エア供給機構２６は、外気（空気）を噴霧ノズル２２まで案内する流路を形成するエア用流路部２６０と、外気をエア用流路部２６０内に引き込んで噴霧ノズル２２まで送り出すエア用ポンプ２６２と、を有する。エア用流路部２６０の先端は、噴霧ノズル２２の胴部２２０における接続部２２６に接続される。
【００６５】
以上の水供給機構２４及びエア供給機構２６における水用ポンプ２４２とエア用ポンプ２６２は、室外機制御部４０に接続され、室外機制御部４０からの制御信号に基づいて駆動する。具体的に、室外機制御部４０は、温度センサ１８によって検出された外気温度が所定の温度以上に達したことを検知すると、冷房運転の負荷が所定のレベルを超えたと判断し、水用ポンプ２４２とエア用ポンプ２６２とを駆動させ、噴霧装置２０から水を噴霧させる。このとき、例えば、室外機制御部４０は、所定時間の間、各噴霧ノズル２２から連続的又は間欠的に水が噴霧されるように各ポンプ２４２、２６２を駆動させる。
【００６６】
帯電機構３０は、帯電用電源（電源）３２と、帯電用電源３２を制御する帯電用制御部（制御部）３６と、を有し、噴霧装置２０（詳しくは、噴霧ノズル２２）から噴霧される水（各液滴）を帯電させる。
【００６７】
帯電用電源３２は、プラスとマイナスの電極を有し、一方の電極が噴霧ノズル２２に接続され、他方の電極が導電性流路部２４６に接続される。これにより、帯電用電源３２は、噴霧ノズル２２と導電性流路部２４６との間に電圧を印加できる。このとき、噴霧ノズル２２と導電性流路部２４６との間に絶縁流路部２４４が配置されているため、水用流路部２４０において噴霧ノズル２２と導電性流路部２４６との間が絶縁状態となっているため、絶縁流路部２４４内を流れる水を電気が流れる。これにより、水用流路部２４０を流れる水が帯電し、この帯電状態の水が噴霧ノズル２２から噴霧されることにより、噴霧された各液滴が帯電された状態（本実施形態では、各液滴がプラスの電荷を有する状態）となる。その結果、液滴同士の間に働く静電気力（クーロン力）によって液滴同士が反発し、噴霧ノズル２２から噴霧された水が広い範囲に拡散される。
【００６８】
具体的に、帯電用電源３２は、帯電用制御部３６を介して、外部電源（本実施形態では、室外機１０の電源１３）等から電力の供給をうけ、噴霧ノズル２２と導電性流路部２４６との間に印加する電圧まで昇圧する。本実施形態の帯電用電源３２は、電圧を例えば５０００Ｖ〜１００００Ｖまで昇圧する。
【００６９】
また、本実施形態では、プラスの電極が噴霧ノズル２２に接続され、マイナスの電極が導電性流路部２４６に接続される。また、マイナスの電極は、導電性流路部２４６が接地電位となるように接地されている。そして、帯電用電源３２は、帯電用制御部３６からの制御信号に基づいて噴霧ノズル２２と導電性流路部２４６との間に例えば５０００〜１００００Ｖの電圧を印加する。
【００７０】
帯電用制御部３６は、帯電用電源３２と、温度センサ１８と、室外機制御部４０及び電源１３と、に接続され、帯電用電源３２が印加する電圧を調整する。
【００７１】
例えば、帯電用制御部３６は、温度センサ１８からの外気温度信号と、室外機制御部４０からの運転能力信号（圧縮機１６の回転数や、冷媒の温度等の情報）とに基づいて帯電用電源３２が印加する電圧を調整する。これにより、噴霧ノズル２２から噴霧される水（各液滴）の帯電量が調整され、液滴同士の間で働く静電気力（クーロン力）による反発力の大きさが変化し、噴霧ノズルから霧状に噴霧された水の拡散範囲が調整される。このように、帯電用制御部３６によって噴霧された水の拡散範囲が調整されると、熱交換器１２における噴霧装置２０による冷却効果の大きさを変更したり、熱交換器１２の一部を集中して冷却することが可能となる。
【００７２】
また、帯電用制御部３６は、外気温度が所定の閾値を超えた場合に、帯電用電源３２の電圧を上げて噴霧ノズル２２から噴霧される水（液滴）の帯電量を大きくしてもよい。
【００７３】
また、室外機１０の熱交換器１２が、図５に示されるように、３つの伝熱管Ｐ１、Ｐ２、Ｐ３を有する場合には、各伝熱管Ｐ１、Ｐ２、Ｐ３の冷媒出口付近の過冷却領域（下流側端部領域）ＳＢ１、ＳＢ２、ＳＢ３を集中して冷却することが可能となる。具体的には、以下に説明する。
【００７４】
熱交換器１２は、３つの伝熱管Ｐ１、Ｐ２、Ｐ３を有する。各伝熱管Ｐ１、Ｐ２、Ｐ３は、互いに独立した冷媒経路を有している。各伝熱管Ｐ１、Ｐ２、Ｐ３は、熱交換器１２の幅方向の両端部において折り返されて蛇行する冷媒経路を有している。各伝熱管Ｐ１、Ｐ２、Ｐ３の一端（図５では右端）には冷媒の入口が設けられており、他端（図５では左端）には冷媒の出口が設けられている。
【００７５】
このような熱交換器１２に対して、上記のように９個（図２参照）の噴霧ノズル２２が配置されている。このとき、図２における左側で縦に並ぶ３つの噴霧ノズル２２、２２、２２は、当該熱交換器１２における伝熱管Ｐ１、Ｐ２、Ｐ３の冷媒出口近傍の過冷却領域（下流側端部領域）ＳＢ１、ＳＢ２、ＳＢ３と対向する位置に配置される。
【００７６】
このように複数の噴霧ノズル２２、２２、…が配置された状態の室外機１０において、帯電用制御部３６は、通常の冷房運転時には、噴霧された水によって熱交換器１２の全体の冷却効率が向上するように、各噴霧ノズル２２から噴霧される液滴の帯電量を調整する。そして、外気温等の状況の変化に応じて、熱交換器１２において冷媒を所定の過冷却度を有する過冷却液にするために、過冷却領域ＳＢ１、ＳＢ２、ＳＢ３を重点的に冷却する必要がある場合には、帯電用制御部３６は、これら過冷却領域ＳＢ１、ＳＢ２、ＳＢ３と対向する位置に設けられた噴霧ノズル２２、２２、２２から噴霧される各液滴の帯電量を減らし、若しくは、帯電機構３０による帯電を停止する。これにより、過冷却領域ＳＢ１、ＳＢ２、ＳＢ３に対して噴霧される水の拡散が抑えられ、噴霧ノズル２２から過冷却領域ＳＢ１、ＳＢ２、ＳＢ３に向けて水を集中的に噴霧させることができる。これにより、これら噴霧された水の蒸発潜熱によって熱交換器１２に向けて吸い込まれる外気のうち、過冷却領域ＳＢ１、ＳＢ２、ＳＢ３に向けて流れる空気の温度をより低くすることができ、熱交換器１２における当該部位（過冷却領域）ＳＢ１、ＳＢ２、ＳＢ３を重点的に冷却することが可能となる。
【００７７】
尚、室外機１０が風速センサ等を備え、横風（噴霧ノズル２２から熱交換器１２へ向かう方向と直交する方向へ吹く風）の風速を測定できる構成の場合、帯電用制御部３６は、所定の大きさ以上の横風が検出されたときに、各噴霧ノズル２２から噴霧される各液滴の帯電量を減らし、若しくは、帯電機構３０による帯電を停止させてもよい。横風が強いときには、各噴霧ノズル２２から噴霧された液滴がこの横風によってそれぞれ拡散されるため、帯電による静電気力の反発を利用しなくても、各噴霧ノズル２２は、噴霧した水によって熱交換器１２の広い範囲を冷却することができる。また、横風による熱交換器１２以外への液滴の散逸を抑えることができる。
【００７８】
室外機制御部４０は、室外機１０の各構成要素の制御を行う。例えば、室外機１０を備えた空気調和装置の運転時に、室外機制御部４０は、圧縮機１６を駆動させることにより冷媒を室外機１０と室内機との間を循環させると共に、送風機１４を駆動して外気をケーシング１１内に引き込んで熱交換器１２を冷却する。
【００７９】
以上の室外機１０によれば、噴霧ノズル２２から噴霧されて霧状となった水（各液滴）が帯電することにより噴霧された液滴同士が静電気力（クーロン力）によってそれぞれ反発するため、各液滴が広い範囲に拡散する。これにより、帯電による拡散を利用せずに噴霧された水が熱交換器１２に向かう場合に比べて各液滴の空気中での浮遊距離（浮遊時間）が延びて熱交換器に到達する前に各液滴が蒸発する。その結果、噴霧装置２０と熱交換器１２との間隔が小さくても、噴霧された水によって熱交換器が濡れるのを防ぎつつ、前記噴霧された水の蒸発潜熱により熱交換器１２の周囲の広い範囲の空気を冷やすことができる。この冷やされた空気が送風機１４の駆動によって、ケーシング１１内に吸い込まれることによって熱交換器１２全体が冷却され、当該熱交換器１２における冷却効率を向上させることが可能となる。
【００８０】
また、本実施形態の帯電部３０は、噴霧装置２０から噴霧される水（各液滴）をプラスに帯電させるため、噴霧ノズル２２がマイナスに帯電することによって生じる噴霧ノズル２２からの放電を防止することができる。
【００８１】
また、上記の噴霧ノズル２２によれば、水と空気とを用いる所謂２流体ノズルに比べて、より少ない気体によって水をより微細な霧状に噴霧することが可能となる。
【００８２】
具体的には、気泡形成領域２２２Ｂ（気泡形成部２２０Ｂ）において水の中に多数の気泡が形成され、この状態の水が混和領域２２２Ａ（案内部２２０Ａ）によってオリフィス部２２１まで案内されることにより多数の気泡と水とが混ざる。そして、これら各気泡がオリフィス部２２１から外部に噴出されるときの圧力差によってそれぞれはじけて噴霧ノズル２２（オリフィス部２２１）から噴出される水が微細な霧状となる。即ち、水中に多数の気泡を形成してこの気泡を圧力差によってはじけさせて水を霧状にすることにより、２流体ノズルのように高圧の空気の流れによるせん断力を利用して水を霧状にする場合に比べ、使用空気量を少なくすることができると共に液滴の大きさも小さくすることができる。その結果、噴霧ノズル２２から噴霧された水がより拡散されると共に、より蒸発し易くなる。
【００８３】
尚、本発明の空気調和装置の室外機は、上記実施形態に限定されるものではなく、本発明の要旨を逸脱しない範囲内において種々変更を加え得ることは勿論である。
【００８４】
上記実施形態の室外機１０では、水供給機構２４から供給される水に電流を流す（水に通電する）ことによって噴霧装置２０から噴霧される水を帯電させているが、噴霧される水（各液滴）を同極に帯電させる方法は、この方式に限定されない。
【００８５】
例えば、静電誘導を用いて噴霧される水を帯電させてもよく、また、空気中での放電により噴霧される水を帯電させてもよい。具体的には、以下に説明するが、噴霧装置２０Ａ、２０Ｂ及び帯電機構３０Ａ、３０Ｂ以外の構成は、上記実施形態と同様であるため、同様の構成には同一符号を用いると共に詳しい説明を省略し、異なる構成についてのみ詳細に説明する。
【００８６】
先ず、静電誘導を用いる方式を、図６（Ａ）及び図６（Ｂ）を参照しつつ説明する。
【００８７】
噴霧装置２０Ａにおける水供給機構２４Ａの水用流路部２４０Ａは、上記実施形態のような絶縁流路部２４４を設けなくてもよい。即ち、水用流路部２４０Ａ全体が導電性部材によって形成される。尚、水用流路部２４０Ａにおいて、少なくとも、帯電用電源３２の電極が接続される部位から噴霧ノズル２２までが導電性部材により形成されていればよく、例えば、前記の電極が接続される部位の上流側の部位が絶縁性部材によって形成されていてもよい。
【００８８】
帯電機構３０Ａは、帯電用電源３２Ａと、誘導電極５０と、帯電用制御部３６と、を有する。
【００８９】
帯電用電源３２Ａは、一方の電極が噴霧ノズル２２に接続され、他方の電極が誘導電極５０に接続される。これにより、帯電用電源３２は、噴霧ノズル２２と誘導電極５０との間に電圧を印加できる。本実施形態では、プラスの電極が噴霧ノズル２２に接続され、マイナスの電極が誘導電極５０に接続される。これにより、噴霧ノズル２２から噴霧される水（各液滴）は、プラスに帯電する。また、帯電用電源３２Ａのプラスの電極は、噴霧ノズル２２が接地電位となるように接地されている。
【００９０】
誘導電極５０は、噴霧ノズル２２と所定の間隔をおいて配置され、噴霧ノズル２２との間に所定の電圧が印加されることによって噴霧ノズル２２を通過する水に静電誘導を生じさせる。具体的に、誘導電極５０は、噴霧ノズル２２の外径よりも大きな内径を有する環状の電極である（図６（Ｂ）参照）。この誘導電極５０は、噴霧ノズル２２の軸（中心軸）と当該誘導電極５０の中心軸とが一致し、且つ、噴霧ノズル２２の軸方向において噴霧ノズル２２の先端位置または僅かに基端側の位置に配置される。尚、誘導電極５０は、噴霧ノズル２２の軸方向において、噴霧ノズル２２の前方（熱交換器側）に配置されてもよいが、噴霧ノズル２２によって噴霧された霧状の水に接して汚れ等が生じるおそれがあるため、上記の噴霧ノズル２２の先端位置または僅かに基端側の位置に配置されることが好ましい。また、誘導電極５０の形状は、環状に限定されない。即ち、誘導電極は、当該誘導電極と噴霧ノズル２２との間に所定の電圧が印加されることによって噴霧ノズル２２との間に所定の電場を生じさせ、噴霧ノズルを通過する水に静電誘導を生じさせることができれば、他の形状であってもよい。
【００９１】
この帯電機構３０Ａによれば、帯電用電源３２が噴霧ノズル２２と誘導電極５０との間に所定の電圧（例えば、５０００Ｖ〜１００００Ｖ）を印加することによって噴霧ノズル２２を通過する水に静電誘導が生じ、この状態の水が噴霧ノズル２２から噴霧されることによって各液滴が帯電した状態となる。
【００９２】
次に、放電によって噴霧される水を帯電させる方式を図７を参照しつつ説明する。
【００９３】
静電誘導方式の流路部同様、当該方式の噴霧装置２０Ｂにおける水供給機構２４Ｂの水用流路部２４０Ａは、上記実施形態のような絶縁流路部２４４を設けなくてもよい。
【００９４】
帯電機構３０Ｂは、帯電用電源３２Ａと、一対の放電電極（第１の放電電極５２及び第２の放電電極５４）と、帯電用制御部３６と、を有する。
【００９５】
帯電用電源３２Ａは、プラスの電極が第１の放電電極５２に接続され、マイナスの電極が第２の放電電極５４に接続される。また、マイナスの電極は、第２の放電電極５４が接地電位となるように接地されている。これにより、帯電用電源３２Ａは、第１の放電電極５２と第２の放電電極５４との間（一対の放電電極間）に電圧を印加できる。
【００９６】
一対の放電電極５２、５４は、噴霧ノズル２２から噴霧された霧状の水が通過する領域を挟むように配置される。
【００９７】
この帯電機構３０Ｂによれば、帯電用電源３２Ａが一対の放電電極５２、５４間に所定の電圧（例えば、５０００Ｖ〜１００００Ｖ）を印加することによって放電電極５２、５４間に放電（例えば、コロナ放電等）が生じ、この放電によって当該放電電極５２、５４間を通過する各液滴が帯電した状態となる。この場合、各液滴は、プラスに帯電する。
【００９８】
また、上記実施形態の帯電機構（水に通電する方式の帯電機構）３０では、絶縁流路部２４４を挟んで噴霧ノズル２２と導電性流路部２４６との間に電圧を印加することにより絶縁流路部２４４を流れる水に通電し、これにより、噴霧される水を帯電させるが、通電する位置はこの位置に限定されない。例えば、水供給機構が給水タンクＴを有する場合（図１の参照）、この給水タンクＴに溜められた水に通電することにより帯電させ、この帯電した水を噴霧ノズル２２に供給するように構成されてもよい。この場合、水に通電することにより帯電させる方式であるが、水供給機構の水用流路部に絶縁流路部を設けなくてもよい。
【００９９】
また、上記実施形態の室外機１０は、熱交換器１２を帯電させる熱交換器用帯電部５８をさらに備えてもよい（図１参照）。具体的に、熱交換器用帯電部５８は、プラスとマイナスのうちの噴霧装置２０により噴霧された水と同じ極の電荷を熱交換器１２に帯電させる。かかる構成によれば、噴霧された各液滴が熱交換器１２に接近し難くなるため、熱交換器１２が噴霧装置２０によって噴霧された液滴によって濡れるのをより確実に防ぎつつ各液滴の蒸発潜熱により熱交換器１２の周囲の空気を冷やして熱交換器１２における冷却効率を向上させることができる。
【０１００】
また、上記実施形態の室外機１０は、熱交換器１２が噴霧ノズル２２と等電位（若しくは略等電位）となるように熱交換器１２に印加する熱交換器用印加部（図示省略）を備えてもよい。かかる構成のように、噴霧ノズル２２と熱交換器１２との電位差を無くして（ほぼ無くして）、噴霧ノズルから噴霧された各液滴が熱交換器に引き寄せられるのを防止してもよい。この場合、噴霧ノズル２２から噴霧された帯電状態の各液滴が前記電位差によって熱交換器１２に引き寄せられて熱交換器１２が濡れるのを防ぐことができる。
【０１０１】
また、上記実施形態の室外機１０の誘導板１１０は、帯電させていないが、噴霧される水（液滴）と同じ極となるように帯電させてもよい。このように誘導板１１０を帯電させることにより、噴霧された水が誘導板１１０に付着するのを防止することができる。
【０１０２】
また、室外機において、帯電用制御部３６が設けられなくてもよい。即ち、噴霧ノズル２２から噴霧される水（各液滴）が常に一定の電荷を有するように噴霧装置から水が噴霧される場合には、帯電のために印加される電圧を調整（制御）する必要がないため、帯電用制御部が設けられなくてもよい。
【符号の説明】
【０１０３】
１０                  室外機
１２                  熱交換器
１３                  帯電用電源（電源）
２０、２０Ａ、２０Ｂ  噴霧装置
２２                  噴霧ノズル
２２０Ａ              案内部
２２０Ｂ              気泡形成部
２２１                オリフィス部
２４、２４Ａ、２４Ｂ  水供給機構
２４０、２４０Ａ      水用流路部
２４４                絶縁流路部（絶縁部）
２４６                導電性流路部（流路側印加部）
２６                  エア供給機構
３０、３０Ａ、３０Ｂ  帯電機構（帯電部）
３２、３２Ａ          帯電用電源
３６                  帯電用制御部（制御部）
５０                  誘導電極
５２                  第１の放電電極
５４                  第２の放電電極
【図１】
2013076538.tif 000003
【図２】
2013076538.tif 000004
【図３】
2013076538.tif 000005
【図４】
2013076538.tif 000006
【図５】
2013076538.tif 000007
【図６】
2013076538.tif 000008
【図７】
2013076538.tif 000009
【図８】
2013076538.tif 000010